(57)【要約】【課題】プロテクタにコルゲートチューブを嵌合させる際に、プロテクタの本体部に対してコルゲートチューブを持ち上げることなく嵌合させることができる技術を提供することを目的とする。【解決手段】プロテクタ２０は、底部２４と、前記底部２４の幅方向両側端部に立設された一対の側壁部２６とを含む本体部２２と、前記本体部２２の開口を塞ぐ天板部４２と、前記天板部４２の長手方向端部に立設され、コルゲートチューブ７０が前記底部２４上に位置する状態で前記コルゲートチューブ７０の谷部に嵌合可能に形成されたリブ４６とを含む蓋部４０と、を備える。前記リブ４６は、前記本体部２２と前記蓋部４０とのうち前記蓋部４０のみに形成されている。【選択図】図１
2016027770.tif 000002
【特許請求の範囲】
【請求項１】
底部と、前記底部の幅方向両側端部に立設された一対の側壁部とを含む本体部と、
前記本体部の開口を塞ぐ天板部と、前記天板部の長手方向端部に立設され、コルゲートチューブが前記底部上に位置する状態で前記コルゲートチューブの谷部に嵌合可能に形成されたリブとを含む蓋部と、
を備え、
前記リブは、前記本体部と前記蓋部とのうち前記蓋部のみに形成されている、プロテクタ。
【請求項２】
請求項１に記載のプロテクタであって、
前記底部の長手方向端部に、前記コルゲートチューブの山部が嵌るように少なくとも１つの凹部が形成されている、プロテクタ。
【請求項３】
請求項１又は請求項２に記載のプロテクタであって、
前記蓋部の前記天板部の長手方向端部に、前記コルゲートチューブの山部が嵌ることが可能な少なくとも１つの凹部が形成されている、プロテクタ。
【請求項４】
請求項２又は請求項３に記載のプロテクタであって、
前記プロテクタの長手方向縁部から長手方向中心に向かって、前記凹部が前記コルゲートチューブの山部のピッチと同一ピッチで複数形成されている、プロテクタ。
【請求項５】
請求項２〜請求項４のいずれか１項に記載のプロテクタであって、
前記凹部の内周縁部のうち異なる２つの位置を結ぶ補強リブが設けられている、プロテクタ。
【請求項６】
請求項１〜請求項５のいずれか１項に記載のプロテクタであって、
前記本体部は、前記本体部の長手方向端部から長手方向中心側に、前記コルゲートチューブの谷部のピッチ以上の間隔をあけた部分に、前記コルゲートチューブが長手方向中心側にスライドした際に、前記コルゲートチューブに当接する係止部をさらに含む、プロテクタ。
【請求項７】
請求項１〜請求項６のいずれか１項に記載のプロテクタであって、
前記コルゲートチューブが前記プロテクタの前記本体部に収まった状態で、前記リブが、前記コルゲートチューブの谷部のうちその幅方向にもっとも出っ張る部分よりも上方側に位置する部分に嵌まる、プロテクタ。
【請求項８】
底部と、前記底部の幅方向両側端部に立設された一対の側壁部とを含み、前記底部の長手方向端部にその内向き主面よりも凹む凹部が少なくとも１つ形成された本体部と、
前記本体部の開口を塞ぐ天板部を含む蓋部と、
を備え、
前記凹部にコルゲートチューブの山部が嵌ることで、前記コルゲートチューブを位置決め可能に形成されている、プロテクタ。
【請求項９】
請求項８に記載のプロテクタであって、
前記蓋部の前記天板部の長手方向端部に、前記コルゲートチューブの山部が嵌ることが可能な少なくとも１つの凹部が形成されている、プロテクタ。
【請求項１０】
請求項１〜請求項９のいずれか１項に記載のプロテクタと、
前記プロテクタにその中間部分が収容された少なくとも１本の電線と、
長手方向に山部と谷部とが連続するように形成され、前記電線の周囲に取り付けられるとともに、前記プロテクタに固定されているコルゲートチューブと、
を備える、電線モジュール。
【発明の詳細な説明】
【技術分野】
【０００１】
この発明は、電線を収容して保護するプロテクタに関する。
【背景技術】
【０００２】
車両に配設される電線には、保護及び経路規制等を目的として、その周囲にプロテクタが取り付けられることがある。このようなプロテクタが、例えば、特許文献１に開示されている。
【０００３】
特許文献１に記載のワイヤーハーネスの保護構造は、プロテクタの端部にリブが設けられ、このリブにコルゲートチューブの谷部が嵌合することで、コルゲートチューブがプロテクタに固定されるものである。
【先行技術文献】
【特許文献】
【０００４】
【特許文献１】特開２００６−３１１６９０号公報
【発明の概要】
【発明が解決しようとする課題】
【０００５】
しかしながら、特許文献１に記載のプロテクタでは、リブが本体側の底壁内面に突設されているため、電線にコルゲートチューブが取り付けられた状態でコルゲートチューブをプロテクタに嵌合させるためには、コルゲートチューブと電線とをプロテクタの本体部に対して上方に持ち上げてから嵌合させる必要があり、作業効率が悪くなる恐れがある。
【０００６】
そこで、本発明は、プロテクタにコルゲートチューブを嵌合させる際に、プロテクタの本体部に対してコルゲートチューブを持ち上げることなく嵌合させることができる技術を提供することを目的とする。
【課題を解決するための手段】
【０００７】
上記課題を解決するため、第１の態様に係るプロテクタは、底部と、前記底部の幅方向両側端部に立設された一対の側壁部とを含む本体部と、前記本体部の開口を塞ぐ天板部と、前記天板部の長手方向端部に立設され、コルゲートチューブが前記底部上に位置する状態で前記コルゲートチューブの谷部に嵌合可能に形成されたリブとを含む蓋部と、を備え、前記リブは、前記本体部と前記蓋部とのうち前記蓋部のみに形成されている。
【０００８】
第２の態様に係るプロテクタは、第１の態様に係るプロテクタであって、前記底部の長手方向端部に、前記コルゲートチューブの山部が嵌るように少なくとも１つの凹部が形成されている。
【０００９】
第３の態様に係るプロテクタは、第１又は第２の態様に係るプロテクタであって、前記蓋部の前記天板部の長手方向端部に、前記コルゲートチューブの山部が嵌ることが可能な少なくとも１つの凹部が形成されている。
【００１０】
第４の態様に係るプロテクタは、第２又は第３の態様に係るプロテクタであって、前記底部の長手方向縁部から長手方向中心に向かって、前記凹部が前記コルゲートチューブの山部のピッチと同一ピッチで複数形成されている。
【００１１】
第５の態様に係るプロテクタは、第２〜第４のいずれか１つの態様に係るプロテクタであって、前記凹部の内周縁部のうち異なる２つの位置を結ぶ補強リブが設けられている。
【００１２】
第６の態様に係るプロテクタは、第１〜第５のいずれか１つの態様に係るプロテクタであって、前記本体部は、前記本体部の長手方向端部から長手方向中心側に、前記コルゲートチューブの谷部のピッチ以上の間隔をあけた部分に、前記コルゲートチューブが長手方向中心側にスライドした際に、前記コルゲートチューブに当接する係止部をさらに含む。
【００１３】
第７の態様に係るプロテクタは、第１〜第６のいずれか１つの態様に係るプロテクタであって、前記コルゲートチューブが前記プロテクタの前記本体部に収まった状態で、前記リブが、前記コルゲートチューブの谷部のうちその幅方向にもっとも出っ張る部分よりも上方側に位置する部分に嵌まる。
【００１４】
第８の態様に係るプロテクタは、底部と、前記底部の幅方向両側端部に立設された一対の側壁部とを含み、前記底部の長手方向端部にその内向き主面よりも凹む凹部が少なくとも１つ形成された本体部と、前記本体部の開口を塞ぐ天板部を含む蓋部と、を備え、前記凹部にコルゲートチューブの山部が嵌ることで、前記コルゲートチューブを位置決め可能に形成されている。
【００１５】
第９の態様に係るプロテクタは、第８の態様に係るプロテクタであって、前記蓋部の前記天板部の長手方向端部に、前記コルゲートチューブの山部が嵌ることが可能な少なくとも１つの凹部が形成されている。
【００１６】
第１０の態様に係る電線モジュールは、第１〜第９の態様に係るプロテクタと、前記プロテクタにその中間部分が収容された少なくとも１本の電線と、長手方向に山部と谷部とが連続するように形成され、前記電線の周囲に取り付けられるとともに、前記プロテクタに固定されているコルゲートチューブと、を備える。
【発明の効果】
【００１７】
第１〜第７の態様に係るプロテクタによると、コルゲートチューブの谷部に嵌まるリブが、本体部と蓋部とのうち蓋部のみに形成されているため、コルゲートチューブをスライドさせて本体部に収容することができる。これにより、プロテクタにコルゲートチューブを嵌合させる際に、プロテクタの本体部に対してコルゲートチューブを持ち上げることなく嵌合させることができる。
【００１８】
特に、第２の態様に係るプロテクタによると、底部の長手方向端部に、コルゲートチューブの山部が嵌るように少なくとも１つの凹部が形成されているため、凹部に山部が入った状態で、本体部と蓋部とが合体することで、コルゲートチューブが電線の長手方向に位置ずれすることを抑えることができる。
【００１９】
特に、第３の態様に係るプロテクタによると、蓋部の天板部の長手方向端部に、コルゲートチューブの山部が嵌ることが可能な少なくとも１つの凹部が形成されているため、凹部に山部が入った状態で、本体部と蓋部とが合体することで、コルゲートチューブが電線の長手方向に位置ずれすることを抑えることができる。また、凹部が形成されている分だけプロテクタを軽量化できる。
【００２０】
特に、第４の態様に係るプロテクタによると、プロテクタの長手方向端部から長手方向中心に向かって、凹部が同一ピッチで複数形成されているため、プロテクタ内に収容されているコルゲートチューブのすべての山部を凹部に嵌めることができる。これにより、コルゲートチューブが電線の長手方向に位置ずれすることをより確実に抑えることができる。また、コルゲートチューブの山部が凹部に嵌まる分だけ側壁部の高さを小さくすることができる。これによりプロテクタの高さ寸法を小さくすることができ、より小さい空間に配設される電線にもプロテクタを取り付けることができる。
【００２１】
特に、第５の態様に係るプロテクタによると、凹部の内周縁部のうち異なる２つの位置を結ぶ補強リブが設けられているため、凹部の内周縁部に割れなど傷つきが生じにくい。
【００２２】
特に、第６の態様に係るプロテクタによると、本体部は、本体部の長手方向縁部から長手方向中心側に、コルゲートチューブの谷部のピッチ以上の間隔をあけた部分に、コルゲートチューブが長手方向中心側にスライドした際に、コルゲートチューブに当接する係止部をさらに含むため、本体部に蓋部を取り付けるときなどに、コルゲートチューブを係止部に押し当てながら取り付けることで、コルゲートチューブが位置ずれすることを抑えることができる。
【００２３】
特に、第７の態様に係るプロテクタによると、コルゲートチューブがプロテクタの本体部に収まった状態で、リブが、コルゲートチューブの谷部のうちその幅方向にもっとも出っ張る部分よりも上方側に位置する部分に嵌まるため、プロテクタの幅方向の寸法を抑えて形成することができる。
【００２４】
第８又は第９の態様に係るプロテクタによると、底部と、底部の幅方向両側端部に立設された一対の側壁部とを含み、底部の長手方向端部にその内向き主面よりも凹む凹部が少なくとも１つ形成された本体部と、本体部の開口を塞ぐ天板部を含む蓋部と、を備え、凹部にコルゲートチューブの山部が嵌ることで、コルゲートチューブを位置決め可能に形成されているため、コルゲートチューブをスライドさせて本体部に収容させて、凹部で位置決めすることができる。これにより、プロテクタにコルゲートチューブを嵌合させる際に、プロテクタの本体部に対してコルゲートチューブを持ち上げることなく嵌合させることができる。
【００２５】
特に、第９の態様に係る蓋部の天板部の長手方向端部に、コルゲートチューブの山部が嵌ることが可能な少なくとも１つの凹部が形成されているため、より確実にプロテクタにコルゲートチューブを嵌合させることができる。
【００２６】
第１０の態様に係る電線モジュールによると、リブがコルゲートチューブの谷部に嵌まる又は凹部にコルゲートチューブの山部が嵌ることでコルゲートチューブが位置決めされるため、コルゲートチューブをスライドさせて本体部に収容することができる。これにより、プロテクタにコルゲートチューブを嵌合させる際に、プロテクタの本体部に対してコルゲートチューブを持ち上げることなく嵌合させることができる。
【図面の簡単な説明】
【００２７】
【図１】第１実施形態に係る電線モジュールを示す分解斜視図である。
【図２】第１実施形態に係る電線モジュールを示す正面図である。
【図３】図２のＩＩＩ−ＩＩＩ線に沿って切断した断面図である。
【図４】第１実施形態に係るプロテクタの本体部を示す斜視図である。
【図５】第１実施形態に係るプロテクタの蓋部を示す斜視図である。
【図６】プロテクタにコルゲートチューブを嵌める一工程を説明する斜視図である。
【図７】第２実施形態に係るプロテクタを示す斜視図である。
【図８】第２実施形態に係る電線モジュールを示す斜視図である。
【図９】第２実施形態に係るプロテクタの本体部を示す斜視図である。
【図１０】第２実施形態に係るプロテクタの蓋部を示す斜視図である。
【図１１】図８のＸＩ−ＸＩ線に沿って切断した断面図である。
【図１２】図８のＸＩＩ−ＸＩＩ線に沿って切断した断面図である。
【図１３】プロテクタにコルゲートチューブを嵌める一工程を説明する斜視図である。
【発明を実施するための形態】
【００２８】
｛第１実施形態｝
以下、第１実施形態に係るプロテクタ２０及び電線モジュール１０について説明する。図１は、第１実施形態に係る電線モジュール１０を示す分解斜視図である。図２は、第１実施形態に係る電線モジュール１０を示す正面図である。図３は、図２のＩＩＩ−ＩＩＩ線に沿って切断した断面図である。図４は、第１実施形態に係るプロテクタ２０の本体部２２を示す斜視図である。図５は、第１実施形態に係るプロテクタ２０の蓋部４０を示す斜視図である。
【００２９】
第１実施形態に係る電線モジュール１０は、プロテクタ２０と、電線１２と、コルゲートチューブ７０とを備える。
【００３０】
電線１２は、少なくとも１本含まれていればよい。電線１２は、プロテクタ２０にその中間部分が収容されている。電線１２は、芯線の外周に樹脂が押出被覆等されることで被覆部が形成された構成とされている。ここでは、複数の電線１２が束ねられた電線束の例で説明する。なお、電線束には、光ファイバ等が電線１２に沿って配設されていてもよい。電線１２は、車両等の配設対象箇所に配設された状態で、車両等に搭載された各種電気機器同士を電気的に接続するものとして用いられる。なお、図１〜図３及び図６では、電線束の概形が描かれている。
【００３１】
コルゲートチューブ７０は、長手方向に山部７２と谷部７４とが連続するように形成されている。コルゲートチューブ７０は、電線１２の周囲に取り付けられている。また、コルゲートチューブ７０は、谷部７４に後述するプロテクタ２０のリブ４６が嵌ることでプロテクタ２０に固定されている。
【００３２】
具体的には、コルゲートチューブ７０は、筒状に形成されている。ここでは、コルゲートチューブ７０は、長手方向に直交する方向に沿って切断した断面が円形に形成されているが、このことは必須ではない。例えば、コルゲートチューブ７０は断面視楕円形状等に形成されていてもよい。
【００３３】
山部７２は、谷部７４よりも径方向に突出する環状凸部である。換言すると、谷部７４は、山部７２よりも径方向に凹む環状凹部である。山部７２と谷部７４とは、長手方向に沿って交互に形成されている。これにより、コルゲートチューブ７０は、全体として曲げ容易に形成されている。
【００３４】
また、ここでは、コルゲートチューブ７０にその長手方向に沿ってスリットが形成され、当該スリットを割り開いて、コルゲートチューブ７０の内部に電線１２を収容するものとして説明するが、コルゲートチューブ７０にスリットが形成されていることは必須ではない。コルゲートチューブ７０にスリットが形成されていない場合、コルゲートチューブ７０の一方側開口から他方側開口に向けて電線１２を中通しすることで、コルゲートチューブ７０が電線１２に外装される。
【００３５】
プロテクタ２０は、本体部２２と、蓋部４０とを備える。プロテクタ２０は、電線１２の保護及び経路規制等を目的として電線１２に取り付けられる。
【００３６】
本体部２２は、底部２４と側壁部２６とを含む。さらにここでは、本体部２２は、係止部２８を含む。
【００３７】
底部２４は、電線１２の配設経路に応じて形成される。このため、底部２４の延出方向は、１次元状、２次元状、又は、３次元状に設定される。また、底部２４は、途中で分岐することも考えられる。以降、底部２４のうち電線１２が配設される側の面を主面と呼ぶ。
【００３８】
側壁部２６は、底部２４の幅方向両側端部に一対、立設されている。一対の側壁部２６と底部２４とで、本体部２２に周方向の一部が開口した収容空間が形成される。
【００３９】
また、ここでは、底部２４には、凹部３０が形成されている。凹部３０は、底部２４の長手方向端部に形成されている。凹部３０は、コルゲートチューブ７０の山部７２が嵌るように形成されている。凹部３０は、少なくとも１つ形成されていればよい。ここでは、プロテクタ２０内に位置するコルゲートチューブ７０のすべての山部７２がそれぞれ凹部３０に嵌ることができるように凹部３０が形成されている。具体的には、ここでは、底部２４の長手方向縁部から長手方向中心に向かって、凹部３０がコルゲートチューブ７０の山部７２のピッチと同一ピッチで複数（ここでは、４つ）形成されている。
【００４０】
より具体的には、底部２４の長手方向縁部から谷部７４の１つ分の間隔をあけた位置に、凹部３０のうち一番開口よりの凹部３０が形成されている。そして、この一番開口よりの凹部３０から山部７２のピッチと同じピッチでさらに３つの凹部３０が形成されている。これにより、プロテクタ２０内に位置する山部７２が４つ以下である際に、すべての山部７２が凹部３０にそれぞれ嵌ることができる。
【００４１】
底部２４の長手方向における凹部３０の寸法は、底部２４の長手方向における山部７２の長手方向の寸法と同じかそれよりも大きく（ここでは若干大きく）設定されている。また、凹部３０は、底部２４の幅方向中央を含む部分に形成されている。これらにより、山部７２が凹部３０に入りこむことができる。
【００４２】
凹部３０に山部７２が入り込むことで、コルゲートチューブ７０が本体部２２に対してその長手方向に位置ずれしにくくなる。また、本体部２２内に位置する山部７２がすべて凹部３０に嵌まることで、底部２４にコルゲートチューブ７０が配置された状態で、底部２４の主面からコルゲートチューブ７０の天辺までの高さを低く抑えることができる。これにより、プロテクタ２０の高さ方向の寸法を低く抑えることができ、電線モジュール１０を配設可能な対象を増やすことができる。
【００４３】
なお、詳しくは後述するが、ここでは、本体部２２にコルゲートチューブ７０がそれ以上挿入不可となるように係止部２８が形成され、底部２４の長手方向縁部から係止部２８の手前まで凹部３０が形成されているため、プロテクタ２０内にコルゲートチューブ７０を配置した状態で、確実にすべての山部７２が凹部３０に嵌まることができる。
【００４４】
凹部３０は、底部２４の幅方向中央に対して線対称となるように形成されていることが好ましい。これにより、コルゲートチューブ７０を底部２４に配置し、山部７２が凹部３０に嵌った状態で、コルゲートチューブ７０が底部２４の幅方向中央に寄せられる。このため、プロテクタ２０の本体部２２と蓋部４０とを嵌め易くなる。
【００４５】
また、ここでは、凹部３０の内周縁部には傾斜部３２が形成されている。具体的には、傾斜部３２は、底部２４の主面から凹部３０に向けて、凹部３０が主面側の開口に向かって徐々に広がるように形成されている。
【００４６】
凹部３０の内周縁部に傾斜部３２が形成されることにより、より詳細には、凹部３０の内周縁部のうち底部２４の長手方向に沿った部分に傾斜部３２が形成されることにより、底部２４の主面上にコルゲートチューブ７０を配置する際に、山部７２が凹部３０に入り込みやすくなる。
【００４７】
また、凹部３０の内周縁部のうち底部２４の幅方向に沿った部分に傾斜部３２が形成されることにより、コルゲートチューブ７０が傷つきにくくなる。また、凹部３０の内周縁部のうち底部２４の幅方向に沿った部分に設けられた傾斜部３２が山部７２の外周面に沿った形状に形成されるとともに、山部７２が凹部３０に嵌った状態で山部７２の外周面が傾斜部３２に接するように設けられると、コルゲートチューブ７０が本体部２２の幅方向に位置ずれしにくくなり、より安定して本体部２２に保持される。
【００４８】
また、ここでは、凹部３０は、底部２４の主面から他方側の面にかけて貫かれた貫通孔状に形成されているが、このことは必須ではない。凹部３０は、底部２４の主面から他方側の面に向けて窪む窪み状に形成されていてもよい。この際に窪みの深さ寸法は、適宜設定されていればよい。しかしながら、山部７２と谷部７４との差が底部２４の厚み未満である場合、窪みの深さ寸法は、山部７２と谷部７４との差以上であることが好ましい。これにより、底部２４の主面と谷部７４の外周面とが接するように山部７２が深く凹部３０に入り込むことができることによって、底部２４の主面からコルゲートチューブ７０の天辺までの高さをより低く抑えることができる。
【００４９】
なお、底部２４の主面と谷部７４の外周面とが接するために、底部２４の幅方向における凹部３０の寸法は、山部７２のうち谷部７４の外周面に位置する部分の底部２４の幅方向における寸法、つまり、当該部分の弦に相当する部分の寸法以上に設定されていることが好ましい。これにより、底部２４の主面と谷部７４の外周面とが接することができる。つまり、山部７２が凹部３０に最大限嵌まることができる。
【００５０】
もっとも、凹部３０が形成されることは必須ではない。また、凹部３０が形成される場合でも、凹部３０が形成される数及びその配置は上記したものに限られない。例えば、プロテクタ２０内部に位置する山部７２のうち一部の山部７２のみが凹部３０に嵌まるように凹部３０が形成されていてもよい。この場合でも、プロテクタ２０に対してコルゲートチューブ７０が長手方向に位置ずれすることを抑えることができる。
【００５１】
また、凹部３０が形成される場合でも、凹部３０の形状は上記したものに限られない。例えば、底部２４の主面と谷部７４の外周面とが接するように凹部３０に山部７２が嵌ることは必須ではなく、凹部３０は、山部７２の少なくとも一部が嵌るように形成されていればよい。
【００５２】
係止部２８は、本体部２２の長手方向端部から長手方向中心側に、コルゲートチューブ７０の谷部７４のピッチ以上の間隔をあけた部分に、コルゲートチューブ７０が長手方向中心側にスライドした際に、コルゲートチューブ７０に当接するように形成されている。これにより、少なくとも１か所の谷部７４にリブが嵌ることができる。
【００５３】
具体的には、係止部２８は、コルゲートチューブ７０の山部７２のうち先端から４つの山部７２が４つの凹部３０にそれぞれはまり込んだ状態で、コルゲートチューブ７０の先端が係止部２８に当接するように底部２４の長手方向縁部から間隔をあけて形成されている。
【００５４】
また、係止部２８は、ここでは、底部２４と一対の側壁部２６の内周面全体から中心に向かって突出するように形成されている。この際に係止部２８の突出寸法は、ここでは、コルゲートチューブ７０が配置された状態で、コルゲートチューブ７０の開口の内周縁部に接するように（ここでは、当該開口が若干隠れる程度に）設定されている。
【００５５】
より詳細には、通常、コルゲートチューブ７０の長手方向縁部は谷部７４になるように設定されるため、係止部２８は、谷部７４の開口の内周縁部が若干隠れる程度に形成されている。また、係止部２８の内周面はＵ字状に形成され、周方向において、底部２４と側壁部２６とで形成される開口と同方向に開口が形成されている。これらにより、係止部２８は、コルゲートチューブ７０とは先端面が当接するが、電線１２は配設可能に形成されている。
【００５６】
もっとも、係止部２８の形状は、上記したものに限られない。例えば、係止部２８は、側壁部２６の内周面からのみ突出するように形成されていてもよいし、底部２４の内周面からのみ突出するように形成されていてもよい。また、例えば、係止部２８は、山部７２に接するように形成されていてもよい。つまり、係止部２８は、電線１２は挿通可能だが、コルゲートチューブ７０とは当接し、コルゲートチューブ７０が底部２４の長手方向中心に向かって位置ずれすることを抑制できるように形成されていればよい。
【００５７】
なお、ここでは、底部２４のうちコルゲートチューブ７０が位置する部分と、それ以外の部分とで主面の高さが一致しているが、主面の高さは一致していなくてもよい。例えば、コルゲートチューブ７０が位置する部分の主面の方が低くなるように設定されていると、プロテクタ２０の高さを抑えることができる。特に、係止部２８が設けられる場合は、係止部２８の前後で、主面の高さを変えることも考えられる。
【００５８】
蓋部４０は、天板部４２とリブ４６とを含む。さらにここでは、蓋部４０は、係合部４４を含む。
【００５９】
天板部４２は、本体部２２の開口を塞ぐように形成されている。即ち、天板部４２は、底部２４と相対するように形成されている。具体的には、ここでは、天板部４２の幅方向の寸法は、一対の側壁部２６の外周面同士の間隔と同程度に設定され、天板部４２は、一対の側壁部２６の上に載るように形成されている。
【００６０】
係合部４４は、天板部４２の幅方向両側から天板部４２の厚み方向に突出するように一対形成されている。一対の係合部４４の内周面同士の間隔は、一対の側壁部２６の外周面同士の間隔と同程度に設定されている。このため、天板部４２が一対の側壁部２６上に載っている状態で、一対の係合部４４が一対の側壁部２６を外周面側から挟み込むことができる。これにより、蓋部４０が、本体部２２に対して、幅方向に位置ずれすることを抑えることができる。
【００６１】
もっとも、蓋部４０が係合部４４を含むことは必須ではない。また、蓋部４０が係合部４４を含む場合でも、蓋部４０と本体部２２との係合構造は上記したものに限られない。例えば、蓋部４０にロック片が突設され、本体部２２に当該ロック片が嵌るロック凹部が形成され、両者を嵌合させることで、蓋部４０と本体部２２とが係合していてもよい。
【００６２】
リブ４６は、天板部４２の長手方向端部に立設されている。リブ４６は、コルゲートチューブ７０が底部２４上に位置する状態でコルゲートチューブ７０の谷部７４に嵌合可能に形成されている。ここで、リブ４６が谷部７４に嵌合するとは、リブ４６の先端が山部７２と山部７２との間に位置していることをいうものとする。リブ４６は、本体部２２と蓋部４０とのうち蓋部４０のみに形成されている。ここでは、リブ４６は、上方突部４８と側方突部５４とを含む。
【００６３】
上方突部４８は、天板部４２の幅方向中間部分に形成され、コルゲートチューブ７０の谷部７４に対して上方に位置する部分である。上方突部４８（より詳細には、上方突部４８のうち後述する第１嵌合片５２）は、長手方向において底部２４のうち凹部３０が形成されていない部分に形成されている。これにより、凹部３０に山部７２が嵌った状態で、谷部７４に上方突部４８が嵌ることができる。ここでは、上方突部４８は、天板部４２の長手方向に沿って４つ形成されている。より具体的には、上方突部４８は、第１突出部５０と第１嵌合片５２とを有する。
【００６４】
第１突出部５０は、天板部４２から突出するように形成され、その電線１２側の内周面がコルゲートチューブ７０の外周面に沿うように弧状（ここでは半円弧状）に形成されている。これにより、上方突部４８は、コルゲートチューブ７０のうち、ほぼ上半分に嵌まるように形成されている。
【００６５】
第１嵌合片５２は、第１突出部５０の電線１２側の内周面から突出するように形成されている。第１嵌合片５２は、先端に向かって薄肉になるように形成されている。これにより、第１嵌合片５２は、谷部７４に嵌り易くなる。
【００６６】
側方突部５４は、天板部４２の両端側にそれぞれ形成され、コルゲートチューブ７０の谷部７４に対して側方に位置する部分である。側方突部５４は、長手方向において、上方突部４８と同じ位置に形成されている。即ち、側方突部５４（より詳細には、側方突部５４のうち後述する第２嵌合片５８）は、長手方向において底部２４のうち凹部３０が形成されていない部分に形成されている。これにより、凹部３０に山部７２が嵌った状態で、谷部７４に側方突部５４が嵌ることができる。ここでは、側方突部５４は、天板部４２の長手方向に沿って４つ形成されている。４つの側方突部５４は側壁部２６側でつながるように形成されている。より具体的には、側方突部５４は、第２突出部５６と第２嵌合片５８とを含む。
【００６７】
第２突出部５６は、天板部４２の端部側部分から側壁部２６の内周面に接するように突出する態様で形成されている。また、ここでは、第２突出部５６は、底部２４に当接するように形成されている。それぞれの谷部７４の位置に向けられた４つの第２突出部５６が一体となるようにつながることで、側方突部５４がつながっている。
【００６８】
第２嵌合片５８は、第２突出部５６のうち先端側の部分から突出するように形成されている。第２嵌合片５８は、コルゲートチューブ７０のうち谷部７４の側方に嵌まるように形成されている。また、第２嵌合片５８は、先端に向かって薄くなるように形成されている。これにより、第２嵌合片５８は、谷部７４に嵌り易くなる。
【００６９】
ここでは、上方突部４８と側方突部５４とは一体的に形成されている。より具体的には、第１突出部５０と第２突出部５６とが一体的に形成されているとともに、第１嵌合片５２と第２嵌合片５８とが一体的に形成されている。
【００７０】
なお、リブ４６は、底部２４に凹部３０が形成されていない場合は底部２４の主面上に山部７２が位置した状態で、また、底部２４に凹部３０が形成されている場合は凹部３０に山部７２が嵌っている状態で、谷部７４に嵌まるように形成されていればよい。この際に、リブ４６は、延出方向先端が谷部７４の外周面に接するように形成されていること、又は、リブ４６のうち天板部の長手方向に沿った両側縁部が対向する山部７２にそれぞれ接するように形成されていることが好ましい。このようにリブ４６が形成されることにより、リブ４６と、底部２４とで、コルゲートチューブ７０を挟み込むことができる。
【００７１】
また、リブ４６が上方突部４８と側方突部５４との両方を含むことは必須ではなく、少なくともどちらか一方を含んでいればよい。また、リブ４６が上方突部４８と側方突部５４とを両方含む場合でも、上方突部４８と側方突部５４とが一体的に形成されていることは必須ではなく、上方突部４８と側方突部５４とは離れて形成されていてもよい。
【００７２】
また、ここでは、一対の側壁部２６の内周面同士の間隔がコルゲートチューブ７０の外径よりも大きいため、第２突出部５６を設けることができるが、一対の側壁部２６の内周面同士の間隔がコルゲートチューブ７０の外径と等しく設定されている場合、即ち、コルゲートチューブ７０が、一対の側壁部２６に接している場合は、第２突出部５６を設けることができない。しかしながら、この場合でも、第１突出部５０が一対の側壁部２６に接するように第１突出部５０を形成することができ、また、第１嵌合片５２に連なるように第２嵌合片５８を設けることができる。
【００７３】
ここでは、上方突部４８と側方突部５４とが一体的に形成されているとともに、複数の側方突部５４がつながるように形成されているため、リブ４６の剛性が大きくなり、リブ４６が変形し難くなる。特にここでは、第２突出部５６が側壁部２６及び底部２４に接しているため、よりリブ４６が変形し難くなる。これにより、リブ４６がコルゲートチューブ７０の谷部７４に嵌った状態で、リブ４６が谷部７４から抜けにくくなる。
【００７４】
＜製造方法＞
次に、第１実施形態に係る電線モジュール１０を製造するために、第１実施形態に係るプロテクタ２０に電線１２とコルゲートチューブ７０とを取り付ける工程について説明する。図６は、プロテクタ２０にコルゲートチューブ７０を嵌める一工程を説明する斜視図である。
【００７５】
まずは、組み立て図板状において、電線１２を所定の配設経路に沿って配設するとともに、電線１２の配設経路上における所定の位置にプロテクタ２０の本体部２２を固定する。この２つの作業については、電線１２の中間部分が本体部２２内に収められていれば、どちらが先であっても構わない。
【００７６】
次に、図６のように、電線１２のうちプロテクタ２０の本体部２２の端部よりも外側に延出する部分にコルゲートチューブ７０を位置させる。この際に、ここでは、コルゲートチューブ７０のスリットを割りひらいて、コルゲートチューブ７０を電線１２のうち本体部２２の端部のすぐ外側に位置する部分に取り付けている。
【００７７】
なお、電線１２を配設する前に予めコルゲートチューブ７０が電線１２に取り付けられている場合もあり得る。この場合、電線１２の配設後にコルゲートチューブ７０を本体部２２の端部のすぐ外側に電線１２に沿って移動させてやればよい。
【００７８】
次に、コルゲートチューブ７０を電線１２に沿って本体部２２の内部へとスライドさせていく。この際に、ここでは、本体部２２に係止部２８が形成されているので、コルゲートチューブ７０が係止部２８に接するまで、コルゲートチューブ７０をスライドさせる。この際に、コルゲートチューブ７０が本体部２２に正しく配置された状態で、コルゲートチューブ７０と係止部２８とが当接するように係止部２８が設けられているため、コルゲートチューブ７０をスライドさせて本体部２２内に収める際に、係止部２８に当接するまでスライドさせればよいので、コルゲートチューブ７０をスライドさせる量を調節する必要がなくなる。
【００７９】
なお、本体部２２に係止部２８が形成されていない場合、又は、係止部２８が形成されている場合でも係止部２８に接するまでコルゲートチューブ７０を挿入しない場合などは、コルゲートチューブ７０の長手方向の所定の寸法分だけコルゲートチューブ７０をスライドさせる。
【００８０】
次に、コルゲートチューブ７０が本体部２２の所定の位置に収められた状態で、蓋部４０を本体部２２の上方から嵌めていく。ここで、蓋部４０を嵌める直前の各部材の位置関係は図１のようになる。この際に、ここでは、コルゲートチューブ７０が本体部２２に正しく配置された状態で、コルゲートチューブ７０と係止部２８とが当接するように係止部２８が設けられているため、コルゲートチューブ７０を係止部２８側に弾性変形しない程度に軽く押さえつけつつ、蓋部４０のリブ４６を谷部７４に嵌めていくと、コルゲートチューブ７０が電線１２の長手方向に位置ずれすることを抑えることができる。
【００８１】
なお、本体部２２に係止部２８が形成されていない場合、又は、係止部２８が形成されている場合でも係止部２８に接するまでコルゲートチューブ７０を挿入しない場合などは、コルゲートチューブ７０が電線の長手方向に沿った両側に移動しないように押さえつつ、リブ４６を谷部７４に嵌め、蓋部４０を本体部２２に嵌める。
【００８２】
そして、蓋部４０を本体部２２に最後まで嵌めることで、電線モジュール１０が完成となる。
【００８３】
第１実施形態に係る電線モジュール１０及びプロテクタ２０によると、コルゲートチューブ７０の谷部７４に嵌まるリブ４６が、本体部２２と蓋部４０とのうち蓋部４０のみに形成されているため、コルゲートチューブ７０をスライドさせて本体部２２に収容することができる。これにより、プロテクタ２０にコルゲートチューブ７０を嵌合させる際に、プロテクタ２０の本体部２２に対してコルゲートチューブ７０を持ち上げることなく嵌合させることができる。
【００８４】
また、底部２４の長手方向端部に、コルゲートチューブ７０の山部７２が嵌るように少なくとも１つの凹部３０が形成されているため、凹部３０に山部７２が入った状態で、本体部２２と蓋部４０とが合体することで、コルゲートチューブ７０が電線１２の長手方向に位置ずれすることを抑えることができる。
【００８５】
また、底部２４の長手方向端部から長手方向中心に向かって、凹部３０が同一ピッチで複数形成されているため、プロテクタ２０内に収容されているコルゲートチューブ７０のすべての山部７２を凹部３０に嵌めることができる。これにより、コルゲートチューブ７０が電線１２の長手方向に位置ずれすることをより確実に抑えることができる。また、コルゲートチューブ７０の山部７２が凹部３０に嵌まる分だけ側壁部２６の高さを小さくすることができる。これによりプロテクタ２０の高さ寸法を小さくすることができ、より小さい空間に配設される電線１２にもプロテクタ２０を取り付けることができる。
【００８６】
また、本体部２２は、本体部２２の長手方向縁部から長手方向中心側に、コルゲートチューブ７０の谷部７４のピッチ以上の間隔をあけた部分に、コルゲートチューブ７０が長手方向中心側にスライドした際に、コルゲートチューブ７０に当接する係止部２８をさらに含むため、本体部２２に蓋部４０を取り付けるときなどに、コルゲートチューブ７０を係止部２８に押し当てながら取り付けることで、コルゲートチューブ７０が位置ずれすることを抑えることができる。
【００８７】
｛第２実施形態｝
次に、第２実施形態に係るプロテクタ２０Ａ及び電線モジュール１０Ａについて説明する。図７は、第２実施形態に係るプロテクタ２０Ａを示す斜視図である。図８は、第２実施形態に係る電線モジュール１０Ａを示す斜視図である。図９は、第２実施形態に係るプロテクタ２０Ａの本体部２２Ａを示す斜視図である。図１０は、第２実施形態に係るプロテクタ２０Ａの蓋部４０Ａを示す斜視図である。図１１は、図８のＸＩ−ＸＩ線に沿って切断した断面図である。図１２は、図８のＸＩＩ−ＸＩＩ線に沿って切断した断面図である。図１３は、プロテクタ２０Ａにコルゲートチューブ７０を嵌める一工程を説明する斜視図である。なお、本実施形態の説明において、第１実施形態で説明したものと同様構成要素については同一符号を付してその説明を省略する。
【００８８】
第２実施形態に係るプロテクタ２０Ａは、以下に示す点で第１実施形態に係るプロテクタ２０とは、異なる。即ち、第１の点は、蓋部４０Ａにもコルゲートチューブ７０の山部７２を嵌める凹部６０が設けられている点である。第２の点は、蓋部４０Ａのリブ４６Ａに側方突部５４が設けられていない点である。第３の点は、本体部２２Ａの凹部３０に補強リブ３４が設けられている点である。第４の点は、本体部２２Ａに浮上抑制部３６が設けられている点である。上記各点について、以下に詳述する。
【００８９】
第１の点に関して、凹部６０は、蓋部４０Ａの天板部４２の長手方向端部に、コルゲートチューブ７０の山部７２が嵌るように少なくとも１つ形成されている。凹部が、蓋部と本体部との両方に設けられる場合、本体部２２Ａの凹部３０と蓋部４０Ａの凹部６０とは、本体部２２Ａに蓋部４０Ａを取り付けた状態で、対向するような位置関係で形成される。つまり、本体部２２Ａ及び蓋部４０Ａに、プロテクタ２０Ａの長手方向に沿ってプロテクタ２０Ａの端部から同じ間隔をあけた位置に同じピッチで、凹部３０及び凹部６０が形成されている。
【００９０】
具体的には、凹部６０は、本体部２２Ａの凹部３０と同様に、蓋部４０Ａの長手方向縁部から長手方向中心に向かって、コルゲートチューブ７０の山部７２のピッチと同一ピッチで複数（ここでは、４つ）形成されている。より具体的には、蓋部４０Ａの長手方向縁部から谷部７４の１つ分の間隔をあけた位置に、凹部６０のうち一番開口よりの凹部６０が形成されている。そして、この一番開口よりの凹部６０から山部７２のピッチと同じピッチでさらに３つの凹部６０が形成されている。
【００９１】
また、ここでは、蓋部４０Ａに設けられたリブ４６Ａの上方突部４８が長手方向縁部から長手方向に沿ってコルゲートチューブ７０の谷部７４と同じピッチで４つ形成されている。凹部６０は、この４つの上方突部４８同士の間及び長手方向端部から一番奥側の上方突部４８よりも奥側に形成されている。
【００９２】
また、凹部６０の形状は、凹部３０と同様に貫通孔状に形成されている。なお、ここでは、凹部６０の内周縁部には凹部３０の内周縁部に設けられているような傾斜部は設けられていないが、凹部６０の内周縁部にも傾斜部が設けられていてもよい。なお、ここでは、凹部３０の内周縁部のうち長手方向にのみ傾斜部３２が設けられ、幅方向には傾斜部３２は設けられていない。
【００９３】
また、ここでは、凹部６０は、天板部４２の内向き主面（底部２４に対向する主面）よりも外向き主面側に凹むように天板部４２の厚みを薄くする態様で形成されている。
【００９４】
第２の点に関して、蓋部４０Ａのリブ４６Ａは、ここでは、上方突部４８のみからなる。そして、コルゲートチューブ７０がプロテクタ２０Ａの本体部２２Ａに収まった状態で、リブ４６Ａが、コルゲートチューブ７０の谷部７４のうちその幅方向にもっとも出っ張る部分よりも上方側に位置する部分に嵌まっている。
【００９５】
具体的には、上方突部４８の幅寸法は、コルゲートチューブ７０の幅寸法以下に設定されている。より具体的には、コルゲートチューブ７０の幅寸法は、山部７２の外面の直径の寸法と同じ値である。そして、ここでは、上方突部４８の幅寸法は谷部７４の外面の直径と同程度に（ここでは、若干小さく）設定されている。この際、ここでは、１対の側壁部２６の間隔がコルゲートチューブ７０の山部７２の直径と同程度に（ここでは、若干大きく）設定されているため、上方突部４８は、一対の側壁部２６の間隔よりも小さく設定され、１対の側壁部２６と接しないように設けられている。
【００９６】
さらに、ここでは、コルゲートチューブ７０の山部７２が蓋部４０Ａに形成された凹部６０に入りこむことができるように、側壁部２６の高さ寸法は、コルゲートチューブ７０の山部７２の直径よりも小さく設定されている。そして上方突部４８のうち蓋部４０Ａから最も突出している部分の突出寸法がコルゲートチューブ７０の山部７２の半径より小さい寸法に設定されている。ここでは、側壁部２６の高さ寸法は、コルゲートチューブ７０の谷部７４の外面の直径と同程度に（ここでは、若干大きく）設定され、上方突部４８のうち蓋部４０Ａから最も突出している部分の突出寸法がコルゲートチューブ７０の谷部７４の外面の半径より小さい寸法に設定されている。
【００９７】
第３の点に関して、補強リブ３４は、凹部３０の内周縁部のうち異なる２つの位置を結ぶように設けられている。当該補強リブ３４により、凹部３０は仕切られているととらえることもできる。当該補強リブ３４が設けられることで、本体部２２Ａが凹部３０の内周縁部から割れるなどして傷つくことを抑制できる。
【００９８】
具体的には、ここでは、補強リブ３４は、凹部３０の内周縁部のうち本体部２２Ａの長手方向に沿って対向する２つの位置を結ぶように設けられている。つまり、補強リブ３４は、凹部３０の内周縁部のうちの一つの位置から本体部２２Ａの長手方向に沿って延び、凹部３０の内周縁部の別の位置まで達するように形成されている。
【００９９】
補強リブ３４は、凹部３０の内周縁部のうちなるべく変形しやすい部分（例えば、凹部３０の幅方向中心寄りの内周縁部）に形成されることが好ましい。また、コルゲートチューブ７０がプロテクタ２０Ａに収まった状態で、補強リブ３４は、コルゲートチューブ７０と接しないことが好ましい。また、補強リブ３４は、なるべく厚い方が好ましい。これらの条件を考慮して補強リブ３４が形成される位置及び厚み等が決定されるとよい。ここでは、補強リブ３４は、凹部３０の内周縁部のうち幅方向両端と間隔をあけた位置に、底部２４の厚みより薄く形成され、コルゲートチューブ７０と接しないように設定されている。
【０１００】
なお、ここでは、補強リブ３４は、１つの凹部３０につき一対ずつ設けられている。当該一対の補強リブ３４は、凹部３０の幅方向中心に対して線対称な位置に設けられている。
【０１０１】
また、ここでは、補強リブ３４は、本体部２２Ａの凹部３０の内周縁部にのみ設けられているが、蓋部４０Ａの凹部６０の内周縁部にも設けられていてもよい。この場合、本体部２２Ａと蓋部４０Ａとの両方に補強リブが設けられることも考えられる。また、蓋部４０Ａにのみ補強リブが設けられることも考えられる。
【０１０２】
第４の点に関して、ここでは、コルゲートチューブ７０が高さ方向上方に位置ずれすることを抑制可能な浮上抑制部３６が本体部２２Ａに設けられている。
【０１０３】
具体的には、浮上抑制部３６は、側壁部２６のうち高さ方向先端から幅方向中心に向かって突出する突出片状に形成されている。浮上抑制部３６は、プロテクタ２０Ａの長手方向においてコルゲートチューブ７０が収まる部分に形成されている。より具体的には、ここでは、浮上抑制部３６は、プロテクタ２０Ａの長手方向において本体部２２Ａの端縁部と係止部２８との間であって、蓋部４０Ａにリブ４６Ａが設けられる部分に設けられている。浮上抑制部３６は、コルゲートチューブ７０のうち少なくとも山部７２の上方に設けられていることが好ましい。ここでは、浮上抑制部３６は、コルゲートチューブ７０のうち長手方向に隣り合う一対の山部７２及びその間の谷部７４の上方に設けられている。
【０１０４】
なお、ここでは、浮上抑制部３６は、一対の側壁部２６にそれぞれ設けられているが、一方の側壁部２６にのみ設けられていてもよい。
【０１０５】
また、浮上抑制部３６は、プロテクタ２０Ａにコルゲートチューブ７０が取り付けられえた状態で、コルゲートチューブ７０まで達するような寸法に設定されていてもよいし、達しないような寸法に設定されていてもよい。ここでは、浮上抑制部３６は、プロテクタ２０Ａにコルゲートチューブ７０が取り付けられえた状態で、コルゲートチューブ７０まで達しないような寸法に設定されている。
【０１０６】
また、浮上抑制部３６が、リブ４６Ａが設けられる位置に形成される場合、浮上抑制部３６は、本体部２２Ａに蓋部４０Ａが取り付けられた状態でリブ４６Ａまで達するような寸法に設定されていてもよいし、達しないような寸法に設定されていてもよい。ここでは、浮上抑制部３６は、本体部２２Ａに蓋部４０Ａが取り付けられた状態でリブ４６Ａまで達しないような寸法に設定されている。
【０１０７】
また、ここでは、底部２４のうち浮上抑制部３６の下方に位置する部分には、貫通孔３８が形成されている。底部２４に当該貫通孔３８が形成されることにより、金型を用いて本体部２２Ａを形成する際、金型のうち浮上抑制部３６の部分を上下方向に抜くことができる。
【０１０８】
もっとも、浮上抑制部３６が設けられることは必須ではなく、浮上抑制部３６は、設けられていない場合もあり得る。また、浮上抑制部３６が設けられる場合でも、本体部２２Ａに設けられることは必須ではなく、蓋部４０Ａに設けられることもあり得る。なお、このような浮上抑制部３６は、リブ４６Ａが側方突部５４を備えていない場合に設けられると効果的である。
【０１０９】
第２実施形態に係るプロテクタ２０Ａ及び電線モジュール１０Ａによっても、第１実施形態に係るプロテクタ２０及ぶ電線モジュール１０と同様の効果を得ることができる。
【０１１０】
さらに、第２実施形態に係るプロテクタ２０Ａ及び電線モジュール１０Ａによると、蓋部４０Ａの長手方向端部に、コルゲートチューブ７０の山部７２が嵌るように少なくとも１つの凹部６０が形成されているため、凹部６０に山部７２が入った状態で、本体部２２Ａと蓋部４０Ａとが合体することで、コルゲートチューブ７０が電線１２の長手方向に位置ずれすることを抑えることができる。また、凹部６０が形成されている分だけプロテクタ２０を軽量化できる。
【０１１１】
また、凹部６０が蓋部４０Ａの端部からコルゲートチューブ７０の山部７２のピッチと同じピッチで形成されているため、凹部６０にプロテクタ２０Ａ内の山部７２すべてが入ることで、電線モジュール１０Ａの高さ方向の寸法を小さくできる。
【０１１２】
また、凹部３０の内周縁部のうち異なる２つの位置を結ぶ補強リブ３４が設けられているため、凹部３０の内周縁部に割れなどの傷つきが生じにくい。
【０１１３】
また、コルゲートチューブ７０がプロテクタ２０Ａの本体部２２Ａに収まった状態で、リブ４６Ａが、コルゲートチューブ７０の谷部７４のうちその幅方向にもっとも出っ張る部分よりも上方側に位置する部分に嵌まるため、プロテクタ２０Ａの幅方向の寸法を抑えて形成することができる。
【０１１４】
また、本体部２２Ａに浮上抑制部３６が設けられているため、コルゲートチューブ７０が高さ方向上方に位置ずれすることを抑制可能である。
【０１１５】
｛変形例｝
第１実施形態に係るプロテクタ２０及び第２実施形態に係るプロテクタ２０Ａにおいて、本体部２２に凹部３０が設けられる場合、蓋部にリブが設けられないこともあり得る。この場合、コルゲートチューブ７０をスライドさせて本体部２２に収容させて、本体部２２の凹部３０でコルゲートチューブ７０の位置決めを行うことができる。これにより、プロテクタ２０にコルゲートチューブ７０を嵌合させる際に、プロテクタ２０の本体部２２に対してコルゲートチューブ７０を持ち上げることなく嵌合させることができる。
【０１１６】
具体的には、本体部２２のうち、底部２４の内向き主面（側壁部２６が立設されている側の主面）よりも凹むように凹部３０が形成されていると、凹部３０にコルゲートチューブ７０の山部７２が嵌ることでコルゲートチューブ７０が電線１２の長手方向に位置ずれしにくくなる。
【０１１７】
この際、第２実施形態に係るプロテクタ２０Ａのように、蓋部４０Ａの天板部４２にも凹部６０が設けられていると、コルゲートチューブ７０をより確実に位置決めすることができる。
【０１１８】
なお、上記各実施形態で説明した各構成は、相互に矛盾しない限り適宜組み合わせることができる。
【０１１９】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【０１２０】
１０  電線モジュール
１２  電線
２０  プロテクタ
２２  本体部
２４  底部
２６  側壁部
２８  係止部
３０  凹部
３２  傾斜部
３４  補強リブ
４０  蓋部
４２  天板部
４４  係合部
４６  リブ
６０  凹部
７０  コルゲートチューブ
７２  山部
７４  谷部
【図１】
2016027770.tif 000003
【図２】
2016027770.tif 000004
【図３】
2016027770.tif 000005
【図４】
2016027770.tif 000006
【図５】
2016027770.tif 000007
【図６】
2016027770.tif 000008
【図７】
2016027770.tif 000009
【図８】
2016027770.tif 000010
【図９】
2016027770.tif 000011
【図１０】
2016027770.tif 000012
【図１１】
2016027770.tif 000013
【図１２】
2016027770.tif 000014
【図１３】
2016027770.tif 000015